(57)【要約】【課題】  太陽光発電パネルは基本的に、一定の場所で長期的に使用される事が多く、主に耐風圧等の環境状況に配慮した、強固な作りとなっており、頻繁に設置と移動を繰り返すという事が難しい状況である。【解決方法】  移動時には積み重ねられ、できるかぎり必要最小限に収納された太陽光発電パネル架台が、移動先では、スライドする事により、太陽光の受光範囲を広げ、発電容量を増やせる構成とした。  更に発電効率を上げる為に、角度を太陽に向けられるように構成した。  これにより、今まで移動する事が困難であった太陽光発電パネルを、容易に移動、設置する事ができるとともに、発電効率を上げる事ができる。【選択図】図３
2017131029.tif 000002
【特許請求の範囲】
【請求項１】
外形寸法が同一である、同一平面上に配置された複数枚の太陽光発電パネルと、それを固定する為に前記太陽光発電パネルの四方へ配置されたフレームで構成される架台枠を複数枚重ねて配置し、前記フレームに取り付けられた前記太陽光発電パネルをその面に平行の方向にスライドさせるスライド機構とを有し、前記太陽光発電パネルのスライド位置によって太陽光発電パネル全体の受光面積が変化する事を特徴とする可動式太陽光発電パネル設置架台。
【請求項２】
最下段の前記台座フレームが、回動軸により回動可能に軸支された、太陽光発電パネルが取り付けられた支持フレームと、前記支持フレームと前記最下段の台座フレームの間に架け渡されて、前記太陽光パネルが取り付けられたフレームを所定の角度に保持する、保持部材とを有する事を特徴とする請求項１に記載の可動式太陽光発電パネル設置架台。
【発明の詳細な説明】
【技術分野】
【０００１】
本発明は移動及び設置が簡易に行える、太陽光発電パネルの設置架台である。
【背景技術】
【０００２】
従来の太陽光発電パネルは一度設置したら、その場所に固定される事が前提として作られており、一部向きや角度を変えられる物はあったが、基本的には、１か所に留まる作りとなっている。
【０００３】
その理由として考えられるのは、太陽光パネルは基本的に、一定の場所で長期的に使用される事が多い為と思われる。
その為に設置に際して使用される架台は、主に耐風圧等の環境状況に配慮した、強固な作りとなっている。
強固な作りとなっているという事は、頻繁に設置と移動を繰り返すという事が難しい状況である。
【０００４】
従来の持ち運ぶ事を前提とした物は、設置面積が小さく、その為に、発電量もごく小さいものに限られる。
【先行技術文献】
【特許文献】
【０００５】
【特許文献１】特開２０１５−２３１３２５
【発明の概要】
【発明が解決しようとする課題】
【０００６】
今までの太陽光発電パネルは一度設置したら、その場所に固定される事が前提として作られており、一部向きや角度を変えられる物はあったが、基本的には、１か所に留まる作りとなっている。
【０００７】
その為に、ある程度の発電量を確保する為の移動に対応する、太陽光発電パネルの設置架台は存在しない。
【０００８】
本発明は、移動と簡易な作業による設置を実現する事を目的とした太陽光発電パネルの架台である。
【課題を解決するための手段】
【０００９】
本発明の可動式太陽光発電パネル設置架台は、外形寸法が同一である、同一平面上に配置された複数枚の太陽光発電パネルと、それを固定する為に前記太陽光発電パネルの四方へ配置されたフレームで構成される架台枠を複数枚重ねて配置し、前記フレームに取り付けられた前記太陽光発電パネルをその面に平行の方向にスライドさせるスライド機構とを有し、前記太陽光発電パネルのスライド位置によって太陽光発電パネル全体の受光面積が変化する事を特徴とする。
【発明の効果】
【００１０】
上記の目的を達成する為に、移動時には小さく収納されつつ、設置時には大きな面積で太陽光を受けられる仕組みとした。
【００１１】
移動時には重ねられている、複数枚の太陽光発電パネルはスライドレールとスライドローラーによって接続されており、設置時には重ねられた太陽光発電パネル枠がスライドする事により、太陽光の受光面積を増やす事ができる構成とした。
【００１２】
更に、使用時には、太陽方向に向けて、角度を調整できるようにした。
【００１３】
スライド及び角度可変式の太陽光パネルの設置により、移動及び設置に工具を必要とせず素早く、簡易に行う事ができる。
【００１４】
また、暴風雨等の自然環境下においては、設備自体の損傷を受けにくい様に、雨・風の影響を受けにくい形態に収納する事ができる。
【図面の簡単な説明】
【００１５】
【図１】本発明の架台枠の収納時上面（太陽光パネル受光面）図及び、展開時の上面図。
【図２】同収納時と展開時、設置時（仰角10度、20度、３０度）を側面から見た図。
【図３】同収納時と展開時、設置時を斜め上面から見た図。
【図４】同スライドして重なるパネルの枚数を図３に比べて１枚増やし、３枚とした時に斜め上面から見た図。
【図５】スライド方向に直交するスライド機構の部分断面詳細図
【図６】スライド方向に平行なスライド機構の部分断面詳細図
【発明を実施するための形態】
【００１６】
以下、本発明の実施の形態を図１〜図６に基づいて説明する。
【００１７】
図１（a）は、太陽光発電パネル２とそれを同一平面に保持する為の架台枠（支持フレーム上枠）１で一対に構成されたものの収納時の受光面側から見た平面図である。
図１（b）は、上記架台枠（支持フレーム上枠）１と架台枠（支持フレーム下枠）３とをスライドさせ、展開させた時の太陽光受光面から見た平面図である。
【００１８】
図２（a）は、太陽光発電パネル２の受光面に直交かつ、スライド方向に直交する側面から見た図である。
架台枠（支持フレーム上枠）１は架台枠（支持フレーム下枠）３と外形寸法が同一である。
架台枠（台座フレーム）１０も上記支持フレーム１、３と同一の外形寸法となっており、収納時には架台枠の大きさの平面寸法で収納できるように構成されている。
架台枠（支持フレーム上枠）１は架台枠（支持フレーム下枠）３と平行にスライドする機構を有する。
架台枠（支持フレーム上枠）１をスライドさせて、展開した時、太陽光発電パネルの受光面積は収納時の１．５倍に拡大する。図２（b）
架台枠（台座フレーム）１０と架台枠（支持フレーム）３は回転軸（蝶番）５によって、回動可能に軸支されており、太陽光パネルの発電効率を上げる為に太陽へ向けて角度を付けて設置する事ができる。
架台枠（支持フレーム下枠）３のスライド方向と直交する側面には、仰角調整部材４が取り付けられており、収納時は仰角保持部材留め具（収納用）14によって固定され収納される。
架台枠（台座フレーム）１０のスライド方向と直交する側面には、仰角保持部材留め具（10度）11、仰角保持部材留め具（20度）12、仰角保持部材留め具（30度）13が取り付けられており、それぞれの仰角調整部材留め具11,12,13に仰角調整部材４を取り付ける事によって、決まった角度に架台枠１、３を固定できるように調整されている。
図２（c）は仰角保持部材４を、仰角保持部材留め具（10度）11、に固定した時の図であり、この時、架台枠（支持フレーム上枠）１と架台枠（支持フレーム下枠）３、さらに前記に取り付けられた太陽光発電パネル２は、収納時から１０度の角度を保って固定される。
図２（d）は仰角保持部材４を、仰角保持部材留め具（20度）１２、に固定した時の図であり、この時、架台枠（支持フレーム上枠）１と架台枠（支持フレーム下枠）３、さらに前記に取り付けられた太陽光発電パネル２は、収納時から２０度の角度を保って固定される。
図２（e）は仰角保持部材４を、仰角保持部材留め具（30度）１３、に固定した時の図であり、この時、架台枠（支持フレーム上枠）１と架台枠（支持フレーム下枠）３、さらに前記に取り付けられた太陽光発電パネル２は、収納時から３０度の角度を保って固定される。
【００１９】
図３（a）は、収納時の受光面斜め上方からの斜視図である。架台枠（支持フレーム上枠）１と架台枠（支持フレーム下枠）３、架台枠（台座フレーム）１０は共に同一の外形寸法であり、架台枠（支持フレーム上枠）１の水平投影面積下にコンパクトに収まる、収納形態である。
図３（b）は、展開時の受光面斜め上方からの斜視図である。架台枠（支持フレーム上枠）１が架台枠（支持フレーム下枠）３、から水平方向に平行にスライドし、本発明における太陽光発電パネル２全体の受光面積を１．５倍に拡大するように設定してある。
図３（c）は、設置時の受光面斜め上方からの斜視図である。架台枠（支持フレーム下枠）３は、架台枠（台座フレーム）１０、と回動軸（蝶番）５によって、回動可能に軸支されており、前記架台枠（支持フレーム上枠）１と架台枠（支持フレーム中枠）６と架台枠（支持フレーム下枠）３を仰角保持部材４によって、固定できるように調整されている。
【００２０】
図４（a）は、前記図３で示した架台枠を前記では２枚であったものから３枚に増やした時の本発明、可動式太陽光発電パネル設置架台における収納時の受光面斜め上方からの斜視図である。架台枠（支持フレーム上枠）１と架台枠（支持フレーム下枠）３、架台枠（支持フレーム中枠）６、架台枠（台座フレーム）１０は共に同一の外形寸法であり、架台枠（支持フレーム上枠）１の水平投影面積下にコンパクトに収まる、収納形態である。
図４（b）は、前記図３で示した架台枠を前記では２枚であったものから３枚に増やした時の本発明、可動式太陽光発電パネル設置架台における展開時の受光面斜め上方からの斜視図である。架台枠（支持フレーム上枠）１が架台枠（支持フレーム中枠）６、から水平方向に平行にスライドし、更に架台枠（支持フレーム下枠）３、から水平方向に平行にスライドする事により、本発明における太陽光発電パネル２全体の受光面積を２倍に拡大するように設定してある。
図４（c）は、前記図３で示した架台枠を前記では２枚であったものから３枚に増やした時の本発明、可動式太陽光発電パネル設置架台における設置時の受光面斜め上方からの斜視図である。架台枠（支持フレーム下枠）３は、架台枠（台座フレーム）１０、と回動軸（蝶番）５によって、回動可能に軸支されており、前記架台枠（支持フレーム上枠）１と架台枠（支持フレーム中枠）６と架台枠（支持フレーム下枠）３の設置角度を仰角保持部材４によって、固定できるように調整されている。
このようにパネルを増やす事によって、重ねるパネル１枚につき元々のパネルの0.5倍ずつ面積を増やす事ができる。
【００２１】
図５（a）は、架台枠（支持フレーム上枠）１と架台枠（支持フレーム下枠）３との接合部分についてを現した、スライド方向と直交する断面詳細図である。
架台枠（支持フレーム上枠）１にはスペーサー７によって位置を調整された、スライドレール８が取り付けられており、前記スライドレール８内部に可動する、スライドローラー９を備える。
前記スライドローラー９はスライド取付ボルト１６とスライド取付ナット１７によって、架台枠（支持フレーム下枠）３と接続されている。
架台枠（支持フレーム下枠）３は収納時には、収納時クッションゴム１５を挟んで、架台枠（台座フレーム）１０に重なって収納される。
図５（b）は、前記図５（a）において架台枠が２枚であったものから３枚に増やした時の、スライド方向と直交する断面詳細図である。
架台枠（支持フレーム上枠）１にはスペーサー７によって位置を調整された、スライドレール８が取り付けられており、前記スライドレール８内部に、可動するスライドローラー９を備える。
前記スライドローラー９はスライド取付ボルト１６とスライド取付ナット１７によって、架台枠（支持フレーム中枠）６と接続されている。
架台枠（支持フレーム中枠）６にはスペーサー７によって位置を調整された、スライドレール８が取り付けられており、前記スライドレール８内部に可動する、スライドローラー９を備える。
前記スライドローラー９はスライド取付ボルト１６とスライド取付ナット１７によって、架台枠（支持フレーム下枠）３と接続されている。
架台枠（支持フレーム下枠）３は収納時には、収納時クッションゴム１５を挟んで、架台枠（台座フレーム）１０に重なって収納される。
【００２２】
図６（a）は、架台枠（支持フレーム上枠）１と架台枠（支持フレーム下枠）３との接合部分についてを現した、スライド方向と平行する断面詳細図である。
架台枠（支持フレーム上枠）１にはスペーサー７によって位置を調整された、スライドレール８が取り付けられており、前記スライドレール８内部に、可動するスライドローラー９を備える。
前記スライドローラー９はスライド取付ボルト１６とスライド取付ナット１７によって、架台枠（支持フレーム下枠）３と接続されている。
架台枠（支持フレーム下枠）３は収納時には、回動軸（蝶番）５と収納時クッションゴム１５を挟んで、架台枠（台座フレーム）１０に重なって収納される。
図６（b）は、前記図６（a）の設置時における、断面詳細図である。
架台枠（支持フレーム上枠）１に取付られた、スペーサー７によって位置を調整された、スライドレール８の内部を、架台枠（支持フレーム下枠）３に、スライド取付ボルト１６とスライド取付ナット１７によって取り付けられた、スライドローラー９がスライドする事によって、前記架台枠（支持フレーム下枠）３に取り付けられた、太陽光発電パネル２が受光できる位置に移動するように調整されている。
また架台枠（支持フレーム下枠）３は架台枠（台座フレーム）１０と、回動軸５によって回動可能に軸支されており、太陽光パネルの発電効率を上げる為に太陽へ向けて角度を付けて設置する事ができる。
【符号の説明】
【００２３】
1   架台枠（支持フレーム上枠）
2   太陽光発電パネル
3   架台枠（支持フレーム下枠）
4   仰角調整部材
5   回動軸（蝶番）
6   架台枠（支持フレーム中枠）
7   スペーサー
8   スライドレール
9   スライドローラー
10  架台枠（台座フレーム）
11  仰角保持部材留め具（10度）
12  仰角保持部材留め具（20度）
13  仰角保持部材留め具（30度）
14  仰角保持部材留め具（収納用）
15  収納時クッションゴム
16  スライド取付ボルト
17  スライド取付ナット
【図１】
2017131029.tif 000003
【図２】
2017131029.tif 000004
【図３】
2017131029.tif 000005
【図４】
2017131029.tif 000006
【図５】
2017131029.tif 000007
【図６】
2017131029.tif 000008